(57)【要約】      （修正有）【課題】梱包される果物等の傷付けを防止し且つ外部からの圧力に強い構造を有し、更に段ボール紙の使用量を減らすことによりコスト面及び環境面の負荷を低減させることができる段ボールトレイ、及び上記段ボールトレイを形成するトレイ用段ボール紙を提供する。【解決手段】対向する一対の第１側縁及び対向する一対の第２側縁を有する方形の底板２と、この底板の一対の第１側縁から垂設される一対の第１側壁と、この底板の一対の第２側縁から垂設される一対の第２側壁とを備え、曲折可能な一枚の段ボール紙から組み立てられる段ボールトレイ１であって、上記一対の第１側壁及び一対の第２側壁が二重の段ボール紙からなり、一対の第１側壁及び一対の第２側壁から構成される上方開口のうち、少なくとも角部を覆うよう配設される四隅連結板３２を備えて段ボールトレイとする。【選択図】図２
0003152468.tif 000002
【実用新案登録請求の範囲】
【請求項１】
対向する一対の第１側縁及び対向する一対の第２側縁を有する方形の底板と、
この底板の一対の第１側縁から垂設される一対の第１側壁と、
この底板の一対の第２側縁から垂設される一対の第２側壁と
を備え、曲折可能な一枚の段ボール紙から組み立てられる段ボールトレイであって、
上記一対の第１側壁及び一対の第２側壁が二重の段ボール紙からなり、
一対の第１側壁及び一対の第２側壁から構成される上方開口のうち、少なくとも角部を覆うよう配設される四隅連結板を備えることを特徴とする段ボールトレイ。
【請求項２】
上記段ボール紙が、
方形の底板と、
底板の対向する一対の第１側縁から延出する一対の第１外側板と、
底板の対向する一対の第２側縁から延出する一対の第２内側板と、
一対の第１外側板の先端縁から帯状頂面板を介して延出する一対の第１内側板と、
一対の第１外側板の左右端縁から延出する二対の第２外側板と、
二対の第２外側板の第２内側板反対側端縁から延出する二対の連結板と、
第１内側板の先端縁の中央部に突設される第１側壁用差込片と、
底板の一対の第１側縁の中央部に形成され、第１側壁用差込片が挿入可能な一対の第１側壁用差込孔と、
連結板の第１内側板側縁に突設される連結板用差込片と、
帯状頂面板の左右端から等距離位置に形成され、連結板用差込片が挿入可能な一対の連結板用差込孔と
を備え、
第２外側板が、第２内側板の幅の１／２の延出方向長さを有しており、
底板に対して第１外側板を垂直に折り曲げ、この第１外側板に対して第１内側板を内側に折り返し、第１側壁用差込片を第１側壁用差込孔に挿入係合させることで第１側壁を形成し、
底板に対して第２内側板を垂直に折り曲げ、第２外側板を第１外側板に対して第２内側板側に垂直に折り曲げ、この第２外側板に対して連結板を内側に折り曲げ、連結板用差込片を連結板用差込孔に挿入係合させることで、第２側壁及び四隅連結板を形成する請求項１に記載の段ボールトレイ。
【請求項３】
上記連結板用差込片が、連結板から延出する接続部と、この接続部から延出し、接続部の幅よりも広い直径を有する略半円差込部とを備え、
上記連結板用差込孔が、帯状頂面板の長手方向に長辺を有する矩形孔部と、この矩形孔部の両短辺に設けられる一対の切込部とを備えている請求項２に記載の段ボールトレイ。
【請求項４】
方形の底板と、
底板の対向する一対の第１側縁から延出する一対の第１外側板と、
底板の対向する一対の第２側縁から延出する一対の第２内側板と、
一対の第１外側板の先端縁から帯状頂面板を介して延出する一対の第１内側板と、
一対の第１外側板の左右端縁から延出する二対の第２外側板と、
二対の第２外側板の第２内側板反対側端縁から延出する二対の連結板と、
第１内側板の先端縁の中央部に突設される第１側壁用差込片と、
底板の一対の第１側縁の中央部に形成され、第１側壁用差込片が挿入可能な一対の第１側壁用差込孔と、
連結板の第１内側板側縁に突設される連結板用差込片と、
帯状頂面板の左右端から等距離位置に形成され、連結板用差込片が挿入可能な一対の連結板用差込孔と
を備え、
第２外側板が、第２内側板の幅の１／２の延出方向長さを有するトレイ用段ボール紙。
【考案の詳細な説明】
【技術分野】
【０００１】
本考案は、果物や野菜等を梱包することのできる段ボールトレイ及びこのトレイ用段ボール紙に関するものである。
【背景技術】
【０００２】
従来より、果物や野菜を梱包、運搬するためのトレーとして一枚の段ボールから組み立てられるものが広く用いられている。この段ボールトレイは、一般的には図４で示されるトレイ用ダンボール紙１０２を組み立てることによって形成される。このトレイ用段ボール紙１０２は、方形の底板４１と、この底板４１の一対の第１側縁４２から延出する第１外側板４３と、この第１外側板４３の先端縁４４から延出する帯状頂面板４５と、この帯状頂面板４５の先端縁４６から延出する第１内側板４７と、上記第１外側板４３の左右端縁４８から延出する第２内側板４９と、上記第１内側板４７の左右端縁５０から延出する係合板５１と、底板４１の一対の第２側縁５２から延出する第２外側板５３と、この第２外側板５３の先端縁５４から延出する連結板５５と、この連結板５５の左右端縁５６先端部分から延出する差込片５７とを備え、上記帯状頂面板４５が２つの差込孔５８を有していする。
【０００３】
このトレイ用段ボール紙１０２から図５に示す段ボールトレイ４０への組み立て手順は以下の通りである。まず、各第１外側板４３、帯状頂面板４５及び第１内側板４７が、順に底板４１方向に向かって垂直に折り込まれる。このことによって、第１外側板４３と第１内側板４７とを有する第１側壁５９が形成される。次に、各係合板５１が内側に折り込まれ、２組の係合板５１同士が係合され、その外側に各第２内側板４９が折り込まれる。続いて、第２内側板４９の外側に、第２外側板５３が折り込まれる。このことにより第２内側板４９、第２外側板５３及び係合板５１を有する第２側壁６０が形成される。更に連結板５５が底板４１と平行となるように折り込まれる。最後に差込片５７が差込孔５８に差し込まれることによって、図５に示すように段ボールトレイ４０が完成される。
【０００４】
このような段ボールトレイ４０は、トレイの内側に係合板５１の係合部分６１がむき出しになるために、この部分に野菜や果物等が接触することにより、これらが傷みやすくなるという不都合が存在する。また、段ボールトレイ４０は、一枚の方形の段ボール紙を切り抜いて加工されるが、図４の展開図のとおり、切り抜き部分が多く存在するために、不要となる段ボール紙が多量に発生し、コスト面及び環境面において不都合な構造となっている。
【０００５】
更には、段ボールトレイ４０は、第１側壁５９が第１外側板４３及び第１内側板４７で構成される二重の段ボール紙からなり、第２側壁６０が第２内側板４９、第２外側板５３及び係合板５１で構成される三重の段ボール紙からなる構造を有している。このように壁の厚みが、縦横の側壁で異なるために、上方向から等外部からの圧力によって、一定の方向に変形しやすいという構造上の不都合が存在するとともに、段ボール紙の使用量が大きくなるために、この段ボール紙の使用量の低減が要求されている。
【０００６】
上記不都合を解決するために、内側に係合部分等の段ボール紙端辺が存在しない構造を有する段ボールトレイも発明されている（例えば、特開２００７−５５６６９号公報、特開２００２−１４５２４９号公報等参照）。しかしながら、こららの発明は展開図が矩形から切り抜き部分が多い（特開２００７−５５６６９号公報）、あるいは略矩形形状の展開図を有し、切り抜き部分が少ないものの、一対の側壁が一枚の段ボール紙からなっているために強度が弱い構造を有している（特開２００２−１４５２４９号公報）。
【０００７】
このように、内側に段ボール紙の端辺が存在せず、十分かつ均等な強度を有し、加えて環境及びコスト面から、使用される段ボール紙の量が低減される段ボールトレイの開発が求められている。
【先行技術文献】
【特許文献】
【０００８】
【特許文献１】特開２００７−５５６６９号公報
【特許文献２】特開２００２−１４５２４９号公報
【考案の概要】
【考案が解決しようとする課題】
【０００９】
本考案はこれらの不都合に鑑みてなされたものであり、梱包される果物等の傷付けを防止し且つ外部からの圧力に強い構造を有し、更に段ボール紙の使用量を減らすことによりコスト面及び環境面の負荷を低減させることができる段ボールトレイ、及び上記段ボールを形成することのできるトレイ用段ボール紙の提供を目的とするものである。
【課題を解決するための手段】
【００１０】
上記課題を解決するためになされた考案は、
対向する一対の第１側縁及び対向する一対の第２側縁を有する方形の底板と、
この底板の一対の第１側縁から垂設される一対の第１側壁と、
この底板の一対の第２側縁から垂設される一対の第２側壁と
を備え、曲折可能な一枚の段ボール紙から組み立てられる段ボールトレイであって、
上記一対の第１側壁及び一対の第２側壁が二重の段ボール紙からなり、
一対の第１側壁及び一対の第２側壁から構成される上方開口のうち、少なくとも角部を覆うよう配設される四隅連結板を備えることを特徴とする段ボールトレイである。
【００１１】
当該段ボールトレイによれば、全ての側壁（第１側壁及び第２側壁）が二重の段ボール紙からなる構造を有することによって、均等な強度が保たれ、外部からの圧力に対して特定の方向にトレイが変形することなく、トレイ形状を維持することができ、果物等の保護に必要な強度を発揮させることができる。また、当該段ボールトレイは、全ての側壁（第１側壁及び第２側壁）が、三重以上の段ボール紙を有さない構造であるため、使用される段ボール紙の量を抑えることができ、コスト面及び環境面の付加を低減させることができる。
【００１２】
上記段ボール紙が、
方形の底板と、
底板の対向する一対の第１側縁から延出する一対の第１外側板と、
底板の対向する一対の第２側縁から延出する一対の第２内側板と、
一対の第１外側板の先端縁から帯状頂面板を介して延出する一対の第１内側板と、
一対の第１外側板の左右端縁から延出する二対の第２外側板と、
二対の第２外側板の第２内側板反対側端縁から延出する二対の連結板と、
第１内側板の先端縁の中央部に突設される第１側壁用差込片と、
底板の一対の第１側縁の中央部に形成され、第１側壁用差込片が挿入可能な一対の第１側壁用差込孔と、
連結板の第１内側板側縁に突設される連結板用差込片と、
帯状頂面板の左右端から等距離位置に形成され、連結板用差込片が挿入可能な一対の連結板用差込孔と
を備え、
第２外側板が、第２内側板の幅の１／２の延出方向長さを有しており、
底板に対して第１外側板を垂直に折り曲げ、この第１外側板に対して第１内側板を内側に折り返し、第１側壁用差込片を第１側壁用差込孔に挿入係合させることで第１側壁を形成し、
底板に対して第２内側板を垂直に折り曲げ、第２外側板を第１外側板に対して第２内側板側に垂直に折り曲げ、この第２外側板に対して連結板を内側に折り曲げ、連結板用差込片を連結板用差込孔に挿入係合させることで第２側壁及び四隅連結板を形成するとよい。
【００１３】
当該段ボールトレイは、このような形状を有することにより、側壁が全て二重の段ボール紙から形成される。また、このような形状の当該段ボールトレイによれば、略方形の展開図から組み立てることができ、製造に当たって、方形の段ボール紙からの切り抜き部分（不要部分）を抑えることができるために、段ボール紙の使用量を減らすことにより、コスト面及び環境面の負荷を低減させることができる。更には、当該段ボールトレイによれば、第２外側板が第２内側板の外側に折り込まれることにより、側壁の内側に段ボール紙の端辺が位置しない形状となっている。このため、当該段ボールトレイによれば梱包される果物等の段ボール紙端辺による傷付けを防止し、鮮度を維持することができる。
【００１４】
上記連結板用差込片が、連結板から延出する接続部と、この接続部から延出し、接続部の幅よりも広い直径を有する略半円差込部とを備え、
上記連結板用差込孔が、帯状頂面板の長手方向に長辺を有する矩形孔部と、この矩形孔部の両短辺に設けられる一対の切込部とを備えていることが好ましい。
【００１５】
当該段ボールトレイによれば、連結板用差込孔と連結板用差込片とが上記の形状を有しているため、組み立てられた際に、連結板用差込片が外れにくく、トレイ形状を強固に固定することができるため、強い衝撃や長期又は複数回の使用においても形状を崩さず、安定的に使用されることができる。
【００１６】
上記課題を解決するためになされた別の考案は、
方形の底板と、
底板の対向する一対の第１側縁から延出する一対の第１外側板と、
底板の対向する一対の第２側縁から延出する一対の第２内側板と、
一対の第１外側板の先端縁から帯状頂面板を介して延出する一対の第１内側板と、
一対の第１外側板の左右端縁から延出する二対の第２外側板と、
二対の第２外側板の第２内側板反対側端縁から延出する二対の連結板と、
第１内側板の先端縁の中央部に突設される第１側壁用差込片と、
底板の一対の第１側縁の中央部に形成され、第１側壁用差込片が挿入可能な一対の第１側壁用差込孔と、
連結板の第１内側板側縁に突設される連結板用差込片と、
帯状頂面板の左右端から等距離位置に形成され、連結板用差込片が挿入可能な一対の連結板用差込孔と
を備え、
第２外側板が、第２内側板の幅の１／２の延出方向長さを有するトレイ用段ボール紙である。
【００１７】
当該トレイ用段ボール紙によれば、側壁が全て二重の段ボール紙からなる段ボールトレイを形成することができる。また、当該トレイ用段ボールは、略方形の形状を有することができるため、方形の段ボール紙からの切り抜き部分（不要部分）を抑えることができるために、段ボール紙の使用量を減らすことにより、コスト面及び環境面の負荷を低減させることができる。更には、当該トレイ用段ボール紙によれば、組み立てた際、第２外側板が第２内側板の外側に折り込まれることにより、側壁の内側に段ボール紙の端辺が位置しない形状を有する段ボールトレイを形成することができる。このため、当該トレイ用段ボール紙によれば梱包される果物等の段ボール紙端辺による傷付けを防止し、鮮度を維持することができるトレイを形成することができる。
【考案の効果】
【００１８】
以上説明したように、本考案の段ボールトレイによれば、梱包される果物等の傷付けを防止し且つ外部からの圧力に強い構造を有し、更に段ボール紙の使用量を減らすことによりコスト面及び環境面の負荷を低減させることができる。また、本考案のトレイ用段ボール紙によれば、梱包される果物等の傷付けを防止し且つ外部からの圧力に強い構造を有するトレイを形成することができ、使用する段ボール紙の量を低減することができる。
【図面の簡単な説明】
【００１９】
【図１】本考案の一実施形態に係るトレイ用段ボール紙を示す平面図である。
【図２】図１のトレイ用ダンボール紙を組み立てることによって形成される段ボールトレイを示す斜視図である。
【図３】図２の段ボールトレイの組み立て途中の状態を示す部分的斜視図である。
【図４】従来のトレイ用段ボール紙を示す平面図である。
【図５】図４のトレイ用段ボール紙を組み立てることによって形成される段ボールトレイを示す斜視図である。
【考案を実施するための形態】
【００２０】
以下、適宜図面を参照しつつ、本考案の段ボールトレイ及びトレイ用段ボール紙の実施の形態を詳説する。
【００２１】
図１のトレイ用段ボール紙１０１は、方形の底板２と、底板２の対向する一対の第１側縁３から延出する一対の第１外側板４と、底板２の対向する一対の第２側縁５から延出する一対の第２内側板６と、一対の第１外側板４の先端縁７から帯状頂面板８を介して延出する一対の第１内側板９と、一対の第１外側板４の左右端縁１０から延出する二対の第２外側板１１と、二対の第２外側板１１の第２内側板反対側端縁１２から延出する二対の連結板１３と、第１内側板９の先端縁１４の中央部に突設される第１側壁用差込片１５と、底板２の一対の第１側縁３の中央部に形成され第１側壁用差込片１５が挿入可能な一対の第１側壁用差込孔１６と、第２内側板６の先端縁１７の左右端から等距離位置に突設される一対の第２側壁用差込片１８と、連結板１３の後端縁に形成され第２側壁用差込片１８が挿入可能な第２側壁用差込孔１９と、連結板１３の第１内側板側縁に突設される連結板用差込片２０と、帯状頂面板８の左右端から等距離位置に形成され連結板用差込片２０が挿入可能な一対の連結板用差込孔２１とを備えている。このトレイ用ダンボール紙１０１を組み立てることによって図２に示される段ボールトレイ１が形成される。
【００２２】
底板２は、方形形状を有しており、正方形であっても長方形であってもよい。また、底板２のサイズは、既存のサイズのものであり、梱包される果物や野菜等の大きさや量等に応じて適宜設定される。
【００２３】
第１外側板４は、矩形形状を有し、延出方向の長さが、このトレイ用段ボール１０１を組み立ててなる段ボールトレイ１の深さとなる。また、この第１外側板４の幅（延出方向と垂直方向の長さ）は、この第１外側板４と接する底板２の一辺（第１側縁３）と同一の長さである。
【００２４】
第２内側板６は、矩形形状を有しており、延出方向の長さが、このトレイ用段ボール１０１を組み立ててなる段ボールトレイ１の深さとなる。また、第２内側板６の幅（延出方向と垂直方向の長さ）は、この段ボールトレイ１の幅となり、この第２外側板４と接する底板の一辺（第２側縁５）と同一の長さである。
【００２５】
帯状頂面板８は、細長い帯状の形状を有している。この帯状頂面板８の幅が、第１外側板４と第１内側板９とから形成される二重の第１側壁３０の上側の厚みとなる。この帯状頂面板８の幅は特に限定されず、用途等において適宜設定されるが、下限としては、３ｍｍが好ましく、５ｍｍが特に好ましい。一方、帯状頂面板６の幅の上限としては、４ｃｍが好ましく３ｃｍが特に好ましい。
【００２６】
第１内側板９は、第１外側板４と等しいサイズを有する矩形形状を有している。また、第１内側板９は、左右両端縁の外側先端部分が、連結板用差込片２０によって切り欠かれた形状となっている。この第１内側板９と第１外側板４とにより二重の段ボール紙からなる第１側壁３０が形成される。
【００２７】
第２外側板１１は、第２内側板６の幅（底板２の第２側縁５の長さ）の１／２の延出方向長さを備える矩形形状を有している。また、当該第２外側板１１は、第２外側板１１の第２内側板反対側端縁１２の先端付近に、第２内側板反対側端縁１２から延出し、コの字状の切り欠きによって設けられた突片２４を有している。
【００２８】
連結板１３は、方形形状から、延出方向外側先端部分を切り欠いた形状を有している。この切り欠き形状としては特に限定されないが、円弧形状であることが好ましい。この切り欠いた円弧形状を大きく取ることにより、当該段ボールトレイに梱包する野菜等の出し入れ作業を容易にすることができる。また、切り欠き形状としては、元の矩形形状の残りの３頂点を残しておくことが好ましい。このように３頂点を残して切り欠く、即ち、一頂点のみを切り欠くことにより、連結部分としての強度を保つことができる。
【００２９】
第１側壁用差込片１５は、延出方向に対して垂直方向（段ボールトレイ１を形成した際の幅方向）が長辺となる略矩形形状を有している。なお、当該第１側壁用差込片１５は、差し込みやすくするため、又差込片の形状が崩れるのを防止するために、先端側の両角が丸められているとよい。この第１側壁用差込片１５を第１側壁用差込孔１６に差し込むことにより第１側壁３０（第１外側板４、帯状頂面板８及び第１内側板９）が固定される。
【００３０】
第１側壁用差込片１５のサイズとしては特に限定されないが、延出方向長さは、当該トレイ用段ボール１０１に用いられる段ボール紙の厚さと一致、あるいはやや長くなる長さが好ましく、幅としては組み立てやすさの観点から２ｃｍ以上５ｃｍ以下が好ましい。
【００３１】
第１側壁用差込孔１６は、矩形形状を有している。また、当該第１側壁用差込孔１６は底板２と第１外側板４との共有辺を外側の長辺とする位置に設けられる。当該第１側壁用差込孔１６の長辺方向の長さは、第１側壁用差込片１５の幅と一致、あるいはやや長くなるように設定される。また、当該第１側壁用差込孔１６の幅（短辺方向の長さ）は、当該トレイ用段ボール１０１に用いられる段ボール紙の厚さと一致、あるいはやや長くなるように設定される。
【００３２】
第２側壁用差込片１８は、突設方向が短辺となる矩形形状を有している。なお、当該第１側壁用差込片１５は、差し込みやすくするため又形状が崩れるのを防止するために、先端側の両角が丸められているとよい。当該第２側壁用差込片１８は、当該段ボールトレイ１が組み立てられる際に、第２側壁用差込孔１９に差し込まれる。このことにより、第２内側板６と第２外側板１１とが固定され、二重の段ボール紙からなる第２側壁３１を形成することができる。
【００３３】
当該第２側壁用差込片１８のサイズとしては特に限定されないが、突設方向長さは、当該トレイ用段ボール１０１に用いられる段ボール紙の厚さと一致、あるいはやや長くなる長さが好ましく、幅としては、組み立てやすさの観点から１ｃｍ以上３ｃｍ以下が好ましい。
【００３４】
第２側壁用差込孔１９は、矩形形状を有している。当該第２側壁用差込孔１９は、連結板１３を切り欠くことによって形成される突片２４の切り欠き部分として形成される。当該第２側壁用差込孔１９の長辺方向の長さは、第２側壁用差込片１８の幅と一致、あるいはやや長くなるように設定される。また、当該第２側壁用差込孔１９の幅（短辺方向の長さ）は、当該トレイ用段ボール１０１に用いられる段ボール紙の厚さと一致、あるいはやや長くなるように設定される。
【００３５】
連結板用差込片２０は、連結板１３の第１内側板９側縁に、第１内側板９を切り欠いて突設されている。当該連結板用差込片２０は、このように、第１内側板９を切り欠いて突設されていることで一定の長さ（突出方向長さ）を確保することができ、差込片として、連結板用差込孔２１の内部にまで十分に挿入されることができる。
【００３６】
連結板用差込片２０は、連結板１３から延出する接続部２５と、この接続部２５から延出し、接続部２５の幅よりも広い直径を有する略半円差込部２６とを有している。この連結板用差込片２０によれば、段ボールトレイ１が組み立てられた際に、略半円差込部２６が、連結板用差込孔２１に差し込まれる。このことによって、連結板１３、ひいては段ボールトレイ１全体が強固に固定される。
【００３７】
連結板用差込孔２１は、帯状頂面板８の長手方向が長辺となる矩形孔部２７と、矩形孔部２７の両短辺に設けられた切込部２８とを有している。矩形孔部２７の幅としては、このトレイ用段ボール１０１を形成する段ボール紙の厚さと同様あるいは、やや小さい大きさに設定される。また、矩形孔部２７の長さとしては、連結板用差込片２０のサイズと対応して適宜設定される。当該連結板用差込孔２１が上記形状を有することによって、連結板用差込片２０が確実に固定され、使用中に取りはずれることを防止できるため、当該段ボールトレイ１の形状安定性が向上する。
【００３８】
当該トレイ用段ボール１０１１は、更に、第１外側板４の両端縁１０の底板２側の端に設けられる矩形形状の切欠２２と、第２内側板６の両端の底板２側の端に設けられる矩形形状の差込片２３とを有している。この切欠２２と、差込片２３とは、段ボールトレイ１が組み立てられた際に、係合可能な位置に設けられている。当該トレイ用段ボール１０１によれば、組み立てられた際に、この切欠２２及び差込片２３が係合されることで、形状を安定させることができる。
【００３９】
次に、当該トレイ用段ボール紙１０１を組み立てて段ボールトレイ１を形成する方法について説明する。
【００４０】
まず、底板２に対して第１外側板４を垂直に折り曲げ、この第１外側板４に対して第１内側板９を内側に折り返し、第１側壁用差込片１５を第１側壁用差込孔１６に挿入係合させることで第１側壁３０が形成される。このように、当該段ボールトレイ１の第１側壁３０は、第１外側板４と第１内側板６とからなる二重の段ボール紙から構成されることで十分な強度を有することができる。
【００４１】
続いて、底板２に対して第２内側板６を垂直に折り曲げ（図３に示される状態）、第２外側板１１を第１外側板４に対して第２内側板６側に垂直に折り曲げる。そして、この第２外側板１１に対して連結板１３を内側に折り曲げ、連結板用差込片２０を連結板用差込孔２１に挿入係合させることで、第２側壁３１及び四隅連結板３２が形成される。また、第２外側板１１の延出方向長さ（組み立てた状態における横幅）が、第２内側板６の幅の１／２の長さであることから、第２内側板６の外側を左右から２つの第２外側板１１によって重なることなく覆うことができる。このように、当該段ボールトレイ１の第２側壁３１は、第２内側板６と第２外側板１１とからなる二重の段ボール紙から構成されることで十分な強度を有することができる。
【００４２】
なお、第２内側板６が垂直に折り込まれた際、第２内側板６の両端縁の下方に設けられる差込片２３が、第１外側板４の両端縁１０の下方に設けられる切欠２２に係合される。このことにより、第２内側板６と第１外側板４とが方形状に固定され、ひいては第１側壁３０と第２側壁３１とが固定されることとなる。
【００４３】
また、この際に、第２側壁用差込片１８が、第２側壁用差込孔１９に挿入係合されている。このように、当該段ボールトレイ１は、第２側壁用差込片１８が、第２側壁用差込孔１９に挿入係合されることによって、更に強力に第２側壁３１が固定されることとなる。
【００４４】
このようにして組み立てられた当該段ボールトレイ１は、対向する一対の第１側縁３及び対向する一対の第２側縁５を有する方形の底板２と、この底板２の一対の第１側縁３から垂設される一対の第１側壁３０と、この底板２の一対の第２側縁５から垂設される一対の第２側壁３１とを備え、曲折可能な一枚の段ボール紙から組み立てられる段ボールトレイであって、上記一対の第１側壁３０及び一対の第２側壁３１が二重の段ボール紙からなり、一対の第１側壁３０及び一対の第２側壁３１から構成される上方開口のうち、少なくとも角部を覆うよう配設される四隅連結板３２を備えることを特徴とする。具体的には、第１側壁３０が第１外側板４と第１内側板９とからなり、第２側壁３１が第２外側板１１と第２内側板６とからなる段ボール紙の二重構造を有する。このように全ての側壁（第１側壁３０及び第２側壁３１）が二重構造を有する当該段ボールトレイ１は、均等な厚さを有し、結果として均等な強度が保たれ、外部からの圧力に対して特定の方向にトレイが変形することなくトレイ形状を維持することができ、果物等の梱包物を痛めることなく保護することができる。また周の側壁（第１側壁３０及び第２側壁３１）が三重以上の段ボール紙を有する部分を備えていないため、使用する段ボール紙の量を最小限にすることができ、コスト面及び環境面の負荷を低減させることができる。
【００４５】
また、当該段ボールトレイ１は、図２で示されるように、展開図が略長方形の形状を有している。一方で、従来の段ボールトレイ４０は、図４で示されるように、展開図が略長方形の形状から大きく切り欠いた形状を有しているため、不要な段ボール紙が大量に発生する。しかしながら、当該段ボールトレイ１は、略長方形の形状を有する展開図からなることにより、形成の際に、長方形状の段ボールシートから切り欠き部分を最小限に抑えて展開図を作成することができ、不要な段ボール紙の量を抑えることができる。
【００４６】
具体的には、図４に示される段ボールトレイ４０の展開図は、実寸として横長６８０ｍｍ、縦長７００ｍｍで形成されるが、完成品が同サイズである段ボールトレイ１の展開図は、横長５８６ｍｍ、縦長７００ｍｍとなる。このように、当該段ボールトレイ１は、従来の段ボールトレイ４０と展開図で比較した場合、横長で９４ｍｍ短くすることができ、面積にして約１０％の使用量の低減が実現できる。従って、当該段ボールトレイ１によれば、コスト面及び環境面の負荷を低減させることができる。
【００４７】
また、当該段ボールトレイ１は、連結板用差込孔２１が、矩形孔部２７と、切込部２８とを有し、連結板用差込片２０が、接続部２５と略半円差込部２６とを有している。連結板用差込孔２１と連結板用差込片２０とが、上記の形状を有していることにより、一度連結板用差込片２０が連結板用差込孔２１に差し込まれた際、連結板用差込片２０が矩形孔部２７に引っかかり、容易に抜けない構造となっている。従って当該段ボールトレイ１によれば、組み立てられたこのトレイ形状を強固に固定することができるため、強い衝撃や長期又は複数回の使用においても形状を崩さず、安定的に使用されることができる。
【産業上の利用可能性】
【００４８】
以上のように、本考案の段ボールトレイによれば、内部の端辺や外部からの衝撃等により梱包物を痛めることなく収納することができるため、果物や野菜等の梱包用トレイとして好適に用いられる。また、本考案のトレイ用段ボール紙によれば、組み立てることにより容易に上記の段ボールトレイを形成することができる。
【符号の説明】
【００４９】
１  段ボールトレイ
２  底板
３  第１側縁
４  第１外側板
５  第２側縁
６  第２内側板
７  先端縁
８  帯状頂面板
９  第１内側板
１０  端縁
１１  第２外側板
１２  第２内側板反対側端縁
１３  連結板
１４  先端縁
１５  第１側壁用差込片
１６  第１側壁用差込孔
１７  先端縁
１８  第２側壁用差込片
１９  第２側壁用差込孔
２０  連結板用差込片
２１  連結板用差込孔
２２  切込
２３  差込片
２４  突片
２５  接続部
２６  略半円差込部
２７  矩形孔部
２８  切込部
３０  第１側壁
３１  第２側壁
３２  四隅連結板
４０  段ボールトレイ
４１  底板
４２  第１側縁
４３  第１外側板
４４  先端縁
４５  帯状頂面板
４６  先端縁
４７  第１内側板
４８  端縁
４９  第２内側板
５０  端縁
５１  係合板
５２  第２側縁
５３  第２外側板
５４  先端縁
５５  連結板
５６  端縁
５７  差込片
５８  差込孔
５９  第１側壁
６０  第２側壁
６１  係合部分
１０１  トレイ用ダンボール紙
１０２  トレイ用ダンボール紙
【図１】
0003152468.tif 000003
【図２】
0003152468.tif 000004
【図３】
0003152468.tif 000005
【図４】
0003152468.tif 000006
【図５】
0003152468.tif 000007